(57)【要約】【課題】地震等により第１支柱や第２支柱が移動してそれらの支柱間隔が狭くなったり広くなったりしても、該第１支柱と該第２支柱との間の長尺部材はぴんと張られた状態が維持され、手摺としての機能が確保される。【解決手段】第１支柱１と第２支柱２とが所定の間隔Ｄ１２を開けて立設され、それらの支柱１，２の間には長尺部材３Ａ，…が張設されている。そして、該長尺部材３Ａ，…の一端部３Ａ１，…は前記第１支柱１の内部にて第１重りＷ１に連結され、該長尺部材３Ａ，…の他端部３Ａ２，…は前記第２支柱２の内部にて第２重りＷ２に連結されている。今、地震等により第１支柱１や第２支柱２が移動してそれらの支柱間隔Ｄ１２が狭くなったり広くなったりしても、該第１支柱１と該第２支柱２との間の前記長尺部材３はぴんと張られた状態が維持され、手摺としての機能が確保される。【選択図】図１
2018071143.tif 000002
【特許請求の範囲】
【請求項１】
立設されると共に上下に延びる第１内部空間を有する第１支柱と、該第１支柱に対して所定の間隔を隔てた位置に立設されると共に上下に伸びる第２内部空間を有する第２支柱と、該第１支柱と該第２支柱との間に張設された可撓性を有する少なくとも１本の長尺部材と、を備えた手摺装置において、
前記第１内部空間にて少なくとも下方に移動自在となるように配置されてなる第１重りと、
前記第２内部空間にて少なくとも上方に移動自在となるように配置されてなる第２重りと、
前記第１支柱の内外を貫通するように該第１支柱に形成される第１孔部と、
前記第２支柱の内外を貫通するように該第２支柱に形成される第２孔部と、
前記第１孔部に挿通された状態の前記長尺部材の一端部近傍が前記第１内部空間内の前記第１重りに連結されると共に前記第２孔部に挿通された状態の前記長尺部材の他端部近傍が前記第２内部空間内の前記第２重りに連結されてなる、
ことを特徴とする手摺装置。
【請求項２】
前記第２重りは前記第１重りよりも重くなるように設定された、
ことを特徴とする請求項１に記載の手摺装置。
【請求項３】
前記長尺部材を介して前記第２重りに作用する上方向の力が所定未満の場合には該第２重りを保持して該第２重りの上方向への移動を阻止し、前記長尺部材を介して該第２重りに作用する上方向の力が所定以上の場合には該第２重りを解放して該第２重りの上方向への移動を許容する第２重り保持手段、を備え、
前記第１重りは前記第１内部空間の上端部近傍に配置されてなる、
ことを特徴とする請求項１又は２に記載の手摺装置。
【請求項４】
前記長尺部材は、複数本であって前記第１支柱と前記第２支柱との間においては上下に所定の間隔を隔てて配置され、
前記第１孔部は上下に所定の間隔を隔てて前記第１支柱に複数形成され、
前記第２孔部は上下に所定の間隔を隔てて前記第２支柱に複数形成され、
前記第１内部空間の上端部近傍には、前記複数の第１孔部から侵入してきた前記複数本の長尺部材がそれぞれ摺動自在に巻き掛けられて下方に垂下せしめる第１ガイド手段が配置され、
前記第２内部空間の上端部近傍には、前記複数の第２孔部から侵入してきた前記複数本の長尺部材がそれぞれ摺動自在に巻き掛けられて下方に垂下せしめる第２ガイド手段が配置され、
前記第１ガイド手段から垂下されてきた前記複数本の長尺部材の下端部近傍は１つの前記第１重りに連結され、
前記第２ガイド手段から垂下されてきた前記複数本の長尺部材の下端部近傍は１つの前記第２重りに連結されてなる、
ことを特徴とする請求項１乃至３のいずれか１項に記載の手摺装置。
【請求項５】
揺動自在となるように前記第１支柱に取り付けられた第１ボールジョイントに前記第１孔部が形成されることに基づき、前記長尺部材は該第１ボールジョイントにより揺動自在及び出入り自在に支持され、
揺動自在となるように前記第２支柱に取り付けられた第２ボールジョイントに前記第２孔部が形成されることに基づき、前記長尺部材は該第２ボールジョイントにより揺動自在及び出入り自在に支持されてなる、
ことを特徴とする請求項１乃至４のいずれか１項に記載の手摺装置。
【請求項６】
前記長尺部材は、樹脂や繊維やワイヤで形成されたロープ又は帯体である、
ことを特徴とする請求項１乃至５のいずれか１項に記載の手摺装置。
【発明の詳細な説明】
【技術分野】
【０００１】
本発明は、所定の間隔を隔てた状態で立設される２本の支柱を備えた手摺装置に関する。
【背景技術】
【０００２】
相対的に変位するおそれがある２つの床部にそれぞれ支柱を立設させて手摺装置（防護柵）を構築しなければならない場合がある。例えば、免震装置を有する建物において、該免震装置により支持される部分と支持されない部分との間に手摺装置を構築する場合である。そして、そのような箇所に使用する手摺装置については種々の構造のものが提案されている（例えば、特許文献１参照）。
【０００３】
図５は、手摺装置の従来構造の一例を示す正面図であり、図中の符号１０１，１０２は、支柱としての機能を果たす壁部を示し、符号Ｆ１は、一方の壁部１０１が立設されてなる床部を示し、符号Ｆ２は、他方の壁部１０２が立設されてなる床部を示す。そして、符号１０３Ａは、一方の壁部１０１に支持された柵部を示し、符号１０３Ｂは、他方の壁部１０２に支持された柵部を示している。該柵部１０３Ａは該柵部１０３Ｂには固定されてはおらず、該柵部１０３Ａと該柵部１０３Ｂとは±ｘ方向に相対移動できるように構成されている。したがって、地震等によって前記床部Ｆ１とＦ２とが±ｘ方向に相対移動したとしても、前記柵部１０３Ａ，１０３Ｂは該方向にそれぞれ自由に移動することとなり、該柵部１０３Ａ，１０３Ｂが壊れないという特徴を有している。
【先行技術文献】
【特許文献】
【０００４】
【特許文献１】特開２０００−３０３６４９号公報
【発明の概要】
【発明が解決しようとする課題】
【０００５】
しかしながら、図５に例示する手摺装置の場合、ｘ方向以外の揺れ（つまり、ｚ方向の揺れや紙面垂直方向の揺れ）に対しては十分な対策が取られていなかった。
【０００６】
本発明は、上述の問題を解消することのできる手摺装置を提供することを目的とするものである。
【課題を解決するための手段】
【０００７】
本発明の第１の観点は、図１乃至図４に例示するものであって、立設されると共に上下に延びる第１内部空間（Ｂ１）を有する第１支柱（１）と、該第１支柱（１）に対して所定の間隔（Ｄ１２）を隔てた位置に立設されると共に上下に伸びる第２内部空間（Ｂ２）を有する第２支柱（２）と、該第１支柱（１）と該第２支柱（２）との間に張設された可撓性を有する少なくとも１本の長尺部材（３Ａ，…）と、を備えた手摺装置（Ａ１）において、
前記第１内部空間（Ｂ１）にて少なくとも下方に移動自在となるように配置されてなる第１重り（Ｗ１）と、
前記第２内部空間（Ｂ２）にて少なくとも上方に移動自在となるように配置されてなる第２重り（Ｗ２）と、
前記第１支柱（１）の内外を貫通するように該第１支柱（１）に形成される第１孔部（１ａ１，…）と、
前記第２支柱（２）の内外を貫通するように該第２支柱（２）に形成される第２孔部（２ａ１，…）と、
前記第１孔部（１ａ１，…）に挿通された状態の前記長尺部材（３Ａ，…）の一端部近傍（３Ａ１，…）が前記第１内部空間（Ｂ１）内の前記第１重り（Ｗ１）に連結されると共に前記第２孔部（２ａ１，…）に挿通された状態の前記長尺部材（３Ａ，…）の他端部近傍（３Ａ２，…）が前記第２内部空間（Ｂ２）内の前記第２重り（Ｗ２）に連結されてなることを特徴とする。
【０００８】
本発明の第２の観点は、前記第２重り（Ｗ２）が前記第１重り（Ｗ１）よりも重くなるように設定されたことを特徴とする。
【０００９】
本発明の第３の観点は、前記長尺部材（３Ａ，…）を介して前記第２重り（Ｗ２）に作用する上方向の力が所定未満の場合には該第２重り（Ｗ２）を保持して該第２重り（Ｗ２）の上方向への移動を阻止し、前記長尺部材（３Ａ，…）を介して該第２重り（Ｗ２）に作用する上方向の力が所定以上の場合には該第２重り（Ｗ２）を解放して該第２重り（Ｗ２）の上方向への移動を許容する第２重り保持手段（４）、を備え、
前記第１重り（Ｗ１）は前記第１内部空間（Ｂ１）の上端部近傍に配置されてなることを特徴とする。
【００１０】
本発明の第４の観点は、前記長尺部材（３Ａ，…）が、複数本であって前記第１支柱（１）と前記第２支柱（２）との間においては上下に所定の間隔（Ｄ３）を隔てて配置され、
前記第１孔部（１ａ１，…）は上下に所定の間隔（Ｄ３）を隔てて前記第１支柱（１）に複数形成され、
前記第２孔部（２ａ１，…）は上下に所定の間隔（Ｄ３）を隔てて前記第２支柱（２）に複数形成され、
前記第１内部空間（Ｂ１）の上端部近傍には、前記複数の第１孔部（１ａ１，…）から侵入してきた前記複数本の長尺部材（３Ａ，…）がそれぞれ摺動自在に巻き掛けられて下方に垂下せしめる第１ガイド手段（Ｇ１）が配置され、
前記第２内部空間（Ｂ２）の上端部近傍には、前記複数の第２孔部（２ａ１，…）から侵入してきた前記複数本の長尺部材（３Ａ，…）がそれぞれ摺動自在に巻き掛けられて下方に垂下せしめる第２ガイド手段（Ｇ２）が配置され、
前記第１ガイド手段（Ｇ１）から垂下されてきた前記複数本の長尺部材（３Ａ，…）の下端部近傍は１つの前記第１重り（Ｗ１）に連結され、
前記第２ガイド手段（Ｇ２）から垂下されてきた前記複数本の長尺部材（３Ａ，…）の下端部近傍は１つの前記第２重り（Ｗ２）に連結されてなることを特徴とする。
【００１１】
本発明の第５の観点は、揺動自在となるように前記第１支柱（１）に取り付けられた第１ボールジョイント（１ｂ１，…）に前記第１孔部（１ａ１，…）が形成されることに基づき、前記長尺部材（３Ａ，…）は該第１ボールジョイント（１ｂ１，…）により揺動自在及び出入り自在に支持され、
揺動自在となるように前記第２支柱（２）に取り付けられた第２ボールジョイント（２ｂ１，…）に前記第２孔部（２ａ１，…）が形成されることに基づき、前記長尺部材（３Ａ，…）は該第２ボールジョイント（２ｂ１，…）により揺動自在及び出入り自在に支持されてなることを特徴とする。
【００１２】
本発明の第６の観点は、前記長尺部材（３Ａ，…）が、樹脂や繊維やワイヤで形成されたロープ又は帯体であることを特徴とする。
【００１３】
なお、括弧内の番号などは、図面における対応する要素を示す便宜的なものであり、従って、本記述は図面上の記載に限定拘束されるものではない。
【発明の効果】
【００１４】
上記した第１及び６の観点によれば、地震やその他の何らかの影響により前記第１支柱と前記第２支柱との間の支柱間隔が狭くなったり広くなったりしても、該第１支柱と該第２支柱との間の前記長尺部材はぴんと張られた状態が維持され、手摺（防護柵）としての機能が維持される。この効果は、前記第１支柱及び／又は前記第２支柱がｘ方向、ｙ方向及びｚ方向のいずれの方向に移動した場合にも得ることができる。
【００１５】
上記した第２の観点によれば、前記第２重りは前記第２内部空間にて定位置に配置されることとなる。そして、該第２重りの位置がその定位置よりも低くなった場合には前記長尺部材が伸びている等の要因が考えられ、該第２重りが定位置にあるか否かをチェックすることによって前記手摺装置が正常な状態かどうかを確かめることができる。
【００１６】
上記した第３の観点によれば、前記第１支柱と前記第２支柱との間に張設された前記長尺部材に人が寄りかかった程度では該長尺部材は弛まずに安全性を確保できる。また、地震等により前記支柱間隔が広がろうとした場合には前記長尺部材は切断されることなく前記各支柱の移動を許容することができる。
【００１７】
上記した第４の観点によれば、複数本の長尺部材の伸び代や縮み代を大きく取ることができる。
【００１８】
上記した第５の観点によれば、前記長尺部材は、前記第１ボールジョイント及び前記第２ボールジョイントによって揺動自在及び出入り自在に支持されることとなり、前記第１支柱や前記第２支柱の様々な方向の移動にも前記長尺部材を追随させることができる。
【図面の簡単な説明】
【００１９】
【図１】図１は、本発明に係る手摺装置の全体構成の一例を示す分解斜視図である。
【図２】図２は、第１支柱の内部構造の一例を示す分解斜視図である。
【図３】図３は、第２支柱の内部構造の一例を示す分解斜視図である。
【図４】図４は、図３のＥ−Ｅ断面図である。
【図５】図５は、手摺装置の従来構造の一例を示す正面図である。
【発明を実施するための形態】
【００２０】
以下、図１乃至図４に沿って、本発明の実施の形態について説明する。
【００２１】
本発明に係る手摺装置（防護柵装置）は、図１に符号Ａ１で例示するものであって、所定の間隔Ｄ１２を隔てた位置に立設されてなる２本の第１及び第２支柱１,２と、それらの２本の支柱１，２の間に張設された長尺部材３Ａ，…と、を備えている。そして、これらの支柱１，２は上下に延びる内部空間Ｂ１，Ｂ２を有している。なお、本明細書においては、説明の便宜上、前記第１支柱１の内部空間Ｂ１を“第１内部空間”と称することとし、前記第２支柱２の内部空間Ｂ２を “第２内部空間”と称することとする。また、前記第１支柱１と前記第２支柱２との間の間隔Ｄ１２を“支柱間隔”と称することとする。
【００２２】
ところで、前記長尺部材３Ａ，…は、可撓性を有するものであり、具体的には、樹脂や繊維やワイヤ（例えば、ステンレス製のワイヤ）で形成されたロープ又は帯体を挙げることができる。なお、図１に示す例では、長尺部材３Ａ，…の数は４本であるが、もちろんこれに限られるものではなく、４本以外の複数本であっても、或いは、複数本ではなく１本であってもよい。
【００２３】
一方、前記第１内部空間Ｂ１には、上方及び下方の両方に（或いは少なくとも下方に）移動自在となるように第１重りＷ１が配置されており、前記第２内部空間Ｂ２には、上方及び下方の両方に（或いは少なくとも上方に）移動自在となるように第２重りＷ２が配置されている。これらの第１及び第２重りＷ１，Ｗ２の移動を円滑にするために、前記第１支柱１の内壁には該第１重りＷ１をガイドする第１重りガイドＧ３を配置しておけばよく、前記第２支柱２の内壁には前記第２重りＷ２をガイドする第２重りガイドＧ４を配置しておけばよい。図１、２及び４に例示する重りガイドＧ３，Ｇ４は、支柱１，２の内壁から突出する突条部であるが、もちろんこれに限られるものではなく、その他の形状（例えば、溝状部）であってもよい。なお、これらの重りＷ１，Ｗ２の移動ストロークは、例えば、５００ｍｍ以上にすると良い。また、これらの重りＷ１，Ｗ２の移動ストロークを十分に確保したい場合には、前記支柱１，２の下端部を床部や地面に埋め込むようにすると良い。
【００２４】
また、前記第１支柱１には、該第１支柱１の内外を貫通する第１孔部１ａ１，…が形成されており、前記第２支柱２には、該第２支柱２の内外を貫通する第２孔部２ａ１，…が形成されている。そして、前記長尺部材３Ａ，…は、これらの第１孔部１ａ１，…及び第２孔部２ａ１，…にそれぞれ挿通されており、該長尺部材３Ａ，…の一端部近傍３Ａ１,…は前記第１内部空間Ｂ１内の前記第１重りＷ１に連結され、前記長尺部材３Ａ，…の他端部近傍３Ａ２,…は前記第２内部空間Ｂ２内の前記第２重りＷ２に連結されている。なお、前記第１孔部１ａ１，…は、前記第１支柱１の側壁であって前記第２支柱２に対向する側の側壁に配置することが好ましいが、他の側壁（つまり、該第２支柱２に対向しない側壁）に配置する実施態様を排除するものではない。また、前記第２孔部２ａ１，…も同様であって、前記第２支柱２の側壁であって前記第１支柱１に対向する側の側壁に配置することが好ましいが、他の側壁（つまり、該第１支柱１に対向しない側壁）に配置する実施態様を排除するものではない。
【００２５】
本発明によれば、地震やその他の何らかの影響により前記第１支柱１と前記第２支柱２とが近づいて支柱間隔Ｄ１２が狭くなるような場合には、前記第１内部空間Ｂ１内の前記第１重りＷ１は下方に移動するため、該第１支柱１と該第２支柱２との間の前記長尺部材３Ａ，…はぴんと張られた状態が維持される。また、逆に、地震やその他の何らかの影響により前記第１支柱１と前記第２支柱２とが離れて支柱間隔Ｄ１２が広くなるような場合には、前記第２内部空間Ｂ２内の前記第２重りＷ２は上方に移動するため、前記長尺部材３Ａ，…は切断されることが無く、張設状態（つまり、前記第１支柱１と前記第２支柱２との間においてぴんと張られた状態）も維持されることとなる。したがって、いずれの場合においても、該第１支柱１と該第２支柱２との間の前記長尺部材３Ａ，…はぴんと張られた状態が維持され、手摺（防護柵）としての機能が維持される。この効果は、前記第１支柱及び／又は前記第２支柱がｘ方向、ｙ方向及びｚ方向のいずれの方向に移動した場合にも得ることができる。また、上方へ移動自在となるように配置されている重りの重量（つまり、上方へ移動自在となるように配置されている重りが前記第２重りＷ２のみである場合には該第２重りＷ２の重量であり、上方へ移動自在となるように配置されている重りが前記第１重りＷ１及び前記第２重りＷ２の両方である場合にはそれらの重りＷ１とＷ２の合計重量）を適切な値（例えば、２０〜１００ｋｇ程度）に設定しておくことによって、該第１支柱１と該第２支柱２との間の前記長尺部材３Ａ，…を人が押したり引いたりしても容易に撓まないようにでき、該長尺部材３Ａ，…に手摺としての機能を果たさせることができる。
【００２６】
ここで、前記第１重りＷ１と前記第２重りＷ２とは同じ重さにしておいても良いが、該第２重りＷ２が該第１重りＷ１よりも重くなるように設定しておいても良い。そのようにした場合には、該第２重りＷ２は前記第２内部空間Ｂ２にて定位置に配置されることとなる。そして、該第２重りＷ２の位置がその定位置よりも低くなった場合には前記長尺部材３Ａ，…が伸びている等の要因が考えられ、該第２重りＷ２が定位置にあるか否かをチェックすることによって前記手摺装置Ａ１が正常な状態かどうかを確かめることができる。なお、前記第２支柱２の側壁部に小窓部（透明なのぞき窓）を設けておいて、前記第２重りＷ２が定位置にあるか否かを外部から容易にチェックできるようにすると良い。
【００２７】
ところで、前記長尺部材３Ａ，…を介して前記第２重りＷ２に所定未満の引き上げ力（つまり、上方向の力）が作用したとしても該重りＷ２を保持して該重りＷ２の上方向への移動を阻止し、該重りＷ２に所定以上の引き上げ力が作用した場合には該重りＷ２を解放して該重りＷ２の上昇を許容するようなもの（以下、“第２重り保持手段”とする）４を該第２重りＷ２に取り付けておくと良い。この第２重り保持手段４としては種々の構造のものを挙げることができる。例えば、前記第２支柱２の第２内部空間Ｂ２の下端部近傍の壁（下壁や側壁）と前記第２重りＷ２とを連結するロープやその他の係止部材であって、該重りＷ２に所定以上の引き上げ力が作用した場合には破断や破壊が起きるようにしたものを挙げることができる。また、前記第２支柱２の側に配置した磁石であって、前記第２重りＷ２に作用する引き上げ力が所定未満の場合には該第２重りＷ２を吸着した状態であり該引き上げ力が所定以上の場合には該第２重りＷ２を解放するようなものを挙げることができる。なお、この場合、前記第１重りＷ１は、前記第１内部空間Ｂ１の上端部近傍に配置しておくと良い。また、前記第２重り保持手段４が前記第２重りＷ２の上昇を許容する際の閾値（前記引き上げ力の閾値）は、地震等により前記支柱間隔Ｄ１２が広がろうとした場合に前記長尺部材３Ａ，…に作用する張力の最小値（例えば、１００ｋｇ）にすれば良い。そのようにした場合には、前記第１支柱１と前記第２支柱２との間に張設された前記長尺部材３Ａ，…に人が寄りかかった程度では該長尺部材３Ａ，…は弛まず、安全性を確保できる。また、地震等により前記支柱間隔Ｄ１２が広がろうとした場合には前記長尺部材３Ａ，…は切断されることなく前記各支柱１，２の移動を許容することができる。
【００２８】
ところで、図１に例示するように、上述した長尺部材３Ａ，…は、複数本とし、前記第１支柱１と前記第２支柱２との間においては上下に所定の間隔Ｄ３を隔てて配置すると良い。また、前記第１孔部１ａ１，…は、上下に所定の間隔Ｄ３を隔てて前記第１支柱１に複数形成され、前記第２孔部２ａ１，…は、上下に所定の間隔Ｄ３を隔てて前記第２支柱２に複数形成されていると良い。さらに、前記複数本の長尺部材３Ａ，…をそれぞれ摺動自在に支持する第１ガイド手段Ｇ１を前記第１内部空間Ｂ１の上端部近傍（つまり、前記第１内部空間Ｂ１の最上端や、最上端の近傍）に配置し、該複数本の長尺部材３Ａ，…をそれぞれ摺動自在に支持する第２ガイド手段Ｇ２を前記第２内部空間Ｂ２の上端部近傍（つまり、前記第２内部空間Ｂ２の最上端や、最上端の近傍）に配置しておくと良い。そして、該第１ガイド手段Ｇ１は、前記複数の第１孔部１ａ１，…から侵入してきた前記複数本の長尺部材３Ａ，…が摺動自在に巻き掛けられて下方に垂下せしめるようにすると良く、該第２ガイド手段Ｇ２は、前記複数の第２孔部２ａ１，…から侵入してきた前記複数本の長尺部材３Ａ，…が摺動自在に巻き掛けられて下方に垂下せしめるようにすると良い。またさらに、前記第１ガイド手段Ｇ１から垂下されてきた前記複数本の長尺部材３Ａ，…の下端部近傍は１つの前記第１重りＷ１に連結し、前記第２ガイド手段Ｇ２から垂下されてきた前記複数本の長尺部材３Ａ，…の下端部近傍は１つの前記第２重りＷ２に連結すると良い。そのようにした場合には、各長尺部材３Ａ，…の伸び代や縮み代を大きく取ることができる。なお、図１に示す例では、各長尺部材３Ａ，…や各第１孔部１ａ１，…や各第２孔部２ａ１，…はそれぞれ等間隔に配置されているが、もちろんこれに限られるものではなく、異なる間隔で配置されていても良い。また、前記第１ガイド手段Ｇ１や前記第２ガイド手段Ｇ２は、前記長尺部材３Ａ，…を急に湾曲（つまり、小さな曲率半径で湾曲）させるのではなく緩やかに湾曲（つまり、大きな曲率半径で湾曲）させるような形状であると良い。ここで、図２及び３に例示する第１及び第２ガイド手段Ｇ１，Ｇ２は、フック状の部材を１本の長尺部材３Ａ，…に対して２個ずつ設けたものであるが、もちろんこれに限られるものではない。例えば、各ガイド手段として滑車を用いても良く、各長尺部材３Ａ，…が挿通される略Ｕ字状のパイプ部材を用いても良い。
【００２９】
ところで、前記第１支柱１の側壁に１つ又は複数のボールジョイント（以下、“第１ボールジョイント”と称する）１ｂ１，…を揺動自在に取り付けると共に前記第１孔部１ａ１，…を該第１ボールジョイント１ｂ１，…に形成しておき、前記第２支柱２の側壁に１つ又は複数のボールジョイント（以下、“第２ボールジョイント”と称する）２ｂ１，…を揺動自在に取り付けると共に前記第２孔部２ａ１，…を該第２ボールジョイント２ｂ１，…に形成しておいて、前記長尺部材３Ａ，…が、該第１ボールジョイント１ｂ１，…及び該第２ボールジョイント２ｂ１，…によって揺動自在及び出入り自在に支持されるようにしておくと良い。そのようにした場合には、前記第１支柱１及び／又は前記第２支柱２がｘ方向、ｙ方向及びｚ方向のいずれに移動したとしても、その方向に前記長尺部材３Ａ，…を追随させることができる。
【００３０】
なお、上述した第１支柱１及び第２支柱２は、柱状の形状に限るものではなく、壁状やその他の形状のものであっても良い。
【産業上の利用可能性】
【００３１】
本発明に係る手摺装置は、免震装置を有する建物だけでなく、一方の床部が他方の床部に対して相対的に移動する可能性がある箇所であれば使用でき、そのような箇所としては、例えば、他方の床部が移動するような遊具、岸壁と該岸壁に係留されている船などを挙げることができる。
【符号の説明】
【００３２】
１                                第１支柱
１ａ１，…                        第１孔部
１ｂ１，…                        第１ボールジョイント
２                                第２支柱
２ａ１，…                        第２孔部
２ｂ１，…                        第２ボールジョイント
３Ａ，…                          長尺部材
３Ａ１，…                        長尺部材の一端部近傍
３Ａ２，…                        長尺部材の他端部近傍
４                                第２重り保持手段
Ａ１                              手摺装置
Ｂ１                              第１内部空間
Ｂ２                              第２内部空間
Ｄ１２                              間隔（支柱間隔）
Ｇ１                              第１ガイド手段
Ｇ２                              第２ガイド手段
Ｗ１                              第１重り
Ｗ２                              第２重り
【図１】
2018071143.tif 000003
【図２】
2018071143.tif 000004
【図３】
2018071143.tif 000005
【図４】
2018071143.tif 000006
【図５】
2018071143.tif 000007